(57)【要約】      （修正有）【課題】雄および雌コネクタストリップが一体に連結された後、それらを相互に切り離すことは比較的手間がかかり面倒である。単純な設計の手段を用いることによってこの問題を解消する構造を提供する。【解決手段】雄コネクタストリップ２または雌コネクタストリップ３上に積み重ねることができるように、積み重ね方向に全幅Ｘ１を有する積み重ね可能なハウジング、特に電子機器ハウジング１であって、雄コネクタストリップ２から雌コネクタストリップ３をロック解除するためのロック解除装置４が雄コネクタストリップ２もしくは雌コネクタストリップ３上、または対応する差込み可能な雌コネクタストリップ３または雄コネクタストリップ２上に配設され、雄コネクタストリップ２または雌コネクタストリップ３とロック解除装置４との複合全幅Ｘ２が、ハウジング、特に電子機器ハウジング１の積み重ね方向の全幅Ｘ１を越えない。【選択図】図１
2014089967.tif 000002
【特許請求の範囲】
【請求項１】
少なくとも１つまたはそれ以上の雄および／または雌コネクタストリップを備え、対応する雌コネクタストリップ（３）または雄コネクタストリップ（２）を少なくとも１つの雄コネクタストリップ（２）または雌コネクタストリップ（３）の上に積み重ねることができるように、積み重ね方向に全幅（Ｘ１）を有する、特に電子機器ハウジングのような積み重ね可能なハウジングであって、前記雄コネクタストリップ（２）から前記雌コネクタストリップ（３）をロック解除するためのロック解除装置（４）が、前記雄コネクタストリップもしくは前記雌コネクタストリップ（２、３）上または対応する差込み可能な雌コネクタストリップもしくは雄コネクタストリップ（３、２）上に配設され、それによって前記雄コネクタストリップ（２）または前記雌コネクタストリップ（３）と前記ロック解除装置（４）との複合全幅（Ｘ２）が、特に電子機器ハウジングのような前記ハウジングの積み重ね方向の全幅（Ｘ１）を越えないことを特徴とする、特に電子機器ハウジング
のような積み重ね可能なハウジング。
【請求項２】
前記ロック解除装置（４）が回動自在のロック解除ストラップ（９）として設計されることを特徴とする、請求項１に記載の電子機器ハウジング。
【請求項３】
前記回動自在のロック解除ストラップ（９）が前記雌コネクタストリップ（２）または前記雄コネクタストリップ（３）の両側の枢軸（６）に関節接続されることを特徴とする、請求項２に記載の電子機器ハウジング。
【請求項４】
前記ロック解除ストラップ（５）が積み重ね方向に前記電子機器ハウジング（１）と整列されることを特徴とする、請求項１、２、または３に記載の電子機器ハウジング。
【請求項５】
前記ロック解除ストラップ（５）が、ベース脚（７ａ）および２つの側脚（７ｂ、７ｃ）を持つＵ字形状を有することを特徴とする、請求項４に記載の電子機器ハウジング。
【請求項６】
前記ロック解除ストラップ（５）が前記雌コネクタストリップ（３）の周りに延在し、前記ベース脚（７ａ）が操作用輪郭部（８）を有することを特徴とする、請求項５に記載の電子機器ハウジング。
【請求項７】
前記ロック解除ストラップ（５）にロック解除用輪郭部（１０）が設けられたことを特徴とする、請求項１〜６のいずれか一項に記載の電子機器ハウジング。
【請求項８】
前記ロック解除用輪郭部（１０）が前記枢軸（６）に対して偏心した輪郭形状を有し、前記ロック解除用輪郭部（１０）が前記電子機器ハウジング（１）または前記雄コネクタストリップの支持面（１１）上に支持されることを特徴とする、請求項１〜７のいずれか一項に記載の電子機器ハウジング。
【請求項９】
前記ロック解除装置（４）が構造ユニットのようにロック装置と結合されることを特徴とする、請求項１〜８のいずれか一項に記載の電子機器ハウジング。
【請求項１０】
前記ロック解除ストラップ（５）が、前記雄コネクタストリップ（１）または前記電子機器ハウジング上のピン（１３）と協働してロックするように設計された、少なくとも１つのスロット（１２）を有することを特徴とする、請求項１〜９のいずれか一項に記載の電子機器ハウジング。
【発明の詳細な説明】
【技術分野】
【０００１】
本発明は、特に取付けレール上にロックするためにロック可能に設計されるような、少なくとも１つの雄または雌コネクタストリップを有する、特に電子機器ハウジングのような積み重ね可能なハウジングに関する。
【背景技術】
【０００２】
１つまたはそれ以上の雄コネクタストリップおよび／または雌コネクタストリップを電子機器ハウジングに配置することができ、かつ対応する雌コネクタストリップおよび／または雄コネクタストリップと共に嵌め合わせることができることは公知である。
【０００３】
特に、取付けレール上にロック可能なモジュールとしての電子機器ハウジングの設計では、設置条件が非常に制限される。
【０００４】
この場合、ひとたび雄および雌コネクタストリップが一体に連結された後、それらを相互に切り離すことは往々にして比較的手間がかかり面倒である。
【発明の概要】
【発明が解決しようとする課題】
【０００５】
本発明の目的は、単純な設計の手段を用いることによってこの問題を解消することである。
【課題を解決するための手段】
【０００６】
本発明は、請求項１の主題を通してこの目標を達成する。
【０００７】
ロック解除装置は、雄および雌コネクタストリップ間のプラグ接続を比較的簡単な方法で解放することをサポートする。したがってロック解除とは、少なくとも２つの要素、雄および雌コネクタストリップの相互の切離しのサポートを指すと理解される。それはまた、実際のハウジングの全幅を、特に電子機器ハウジングを整列方向に増大させないので有利であり、端子ストリップ型ハウジングに使用するのに非常によく適している。
【０００８】
電子機器ハウジングには１つまたはそれ以上の雄および／または雌コネクタストリップだけを配置することができる。ロック解除装置はそのような端子ストリップの各々に１つずつ割り当てることが好ましい。
【０００９】
請求項９の有利な実施形態では、設置状態で、例えば機械等における厳しい環境で長時間使用した後でも、雄および雌コネクタストリップおよび／または電気接点の確実な保持を確保することも可能である。
【００１０】
本発明の有利な実施形態は、従属請求項から導き出される。
【００１１】
本発明を以下で、例示的実施形態に基づいて図面を参照しながら、さらに詳細に説明する。
【図面の簡単な説明】
【００１２】
【図１】雌コネクタストリップがロック解除装置と共に取り付けられた、雄コネクタストリップを持つ電子機器ハウジングの部分的領域を示す。
【図２】図１の雄コネクタストリップを持つ電子機器ハウジングから雌コネクタストリップを緩めかつ／またはロック解除するときの最初のステップを示す。
【図３】図２の後続ステップを示す。
【図４】図３の後のステップを示す。
【図５】雌コネクタストリップがロックおよびロック解除複合装置と共に差し込まれた、雄コネクタストリップを持つ別の電子機器ハウジングの部分的領域を示す。
【図６】図５の雄コネクタストリップを持つ電子機器ハウジングから雌コネクタストリップを緩めかつ／またはロック解除するときの最初のステップを示す。
【図７】図６の後続ステップを示す。
【図８】図７の後続ステップを示す。
【発明を実施するための形態】
【００１３】
図１は、好ましくは端子ストリップ型の設計（図示しない）を有し、かつ取付けレール（図示しない）上にロックするように設計された、電子機器ハウジング１の部分領域を示す。
【００１４】
取付けレール上の積み重ね方向は、図１に矢印Ｘの方向によって示される。この方向に、ハウジングは全幅Ｘ１を有する。通例として、Ｘ方向の設置空間は比較的短いので、電子機器ハウジング１は例えばわずか数ミリメートルの幅Ｘ１を有する。
【００１５】
少なくとも１つの雄コネクタストリップ２が電子機器ハウジング１に配置または設計され、電子機器ハウジング１に固定的に接続され、あるいは接続ピン（図示しない）の周囲のそれ自体のハウジングに関して、これと一体的に設計することさえもできる。
【００１６】
上から略垂直にかつ／または（取付けレールに対して）垂直から少し傾斜して雄コネクタストリップ２に取り付けることのできる雌コネクタストリップ３は、雄コネクタストリップ２に取り付けられ、好ましくは、これにロック可能であり、かつ反対方向に解放可能である。
【００１７】
雌コネクタストリップ３を雄コネクタストリップ２から解放するために、ここでは回動自在のロック解除ストラップ５として設計され、雌コネクタストリップ３の両側部の回転軸６の位置で雌コネクタストリップ３に関節状に接続されるロック解除装置４が、雌コネクタストリップ３に配置される。
【００１８】
ロック解除ストラップ５は、ベース脚７ａおよび２つの側脚７ｂ、７ｃを持つ略Ｕ字形状を有する。ロック解除ストラップ５は上から雌コネクタストリップ３の周囲に到達し、それによってベース脚７ａは本質的に（取付けレールに対して）雌コネクタストリップ３の上に配置され、ここで取付けレールに向かって矢印Ｓの方向に回動自在である。ベース脚７ａは、工具を取り付けるための操作用輪郭部８を有することが好ましく、該工具はここでは、ねじ回し９を配置するためのスロットとして設計される。ストラップ等の正面における手動操作も考えられる（ここでは図示しない）。
【００１９】
相互に平行に整列する２つの長手方向脚７ｂ、７ｃは、今度は積み重ね方向Ｘ（および／または積み重ね方向とは逆の方向）に存する電子機器ハウジングの主外面８ａ、８ｂと平行に配置されることが好ましい。ロック解除装置およびロック解除ストラップ５を備えた雌コネクタストリップは、少なくとも電子機器ハウジングの積み重ね方向のグリッド幅Ｘ１を超えず、それより小さくさえある積み重ね方向の幅Ｘ２を有することが有利である。このようにして、電子機器ハウジングの総幅全体が、ロック解除装置によって積み重ね方向Ｘに増大することがない。
【００２０】
ロック解除ストラップ５が積み重ね方向に電子機器ハウジング１の主外壁と整列すれば、好都合である。
【００２１】
ロック解除ストラップの２つの長手方向脚７、８の領域に、枢軸６に対して偏心関係に走る輪郭部を有するロック解除用輪郭部１０が設けられ、これにより、ロック解除用輪郭部１０は、電子機器ハウジング（または代替的に、ここには図示しない雄コネクタストリップ）の支持面１１上に支持される。ロック解除用輪郭部１０は電子機器ハウジング１上に支持されると特に好ましい。
【００２２】
ロック解除する場合には、ねじ回し９を用いて、ロック解除ストラップ５を、枢軸６を中心に下方に回動させると、ロック解除用輪郭部１０は迫台のような支持面１１上に支持されているため、ロック解除ストラップの解放位置への（ここでは下向きの）回動が増大するにつれて枢軸６からの距離が大きくなるロック解除用輪郭部１０は、雄コネクタストリップ２から持上げられる。
【００２３】
したがって、雌コネクタストリップ３を雄コネクタストリップ２から解放し、かつ／または雄コネクタストリップ２からロック解除することがサポートされる。好ましくは、この位置において、雌コネクタストリップ３が非接触位置にあり、ねじ回しを電子機器ハウジング１および／または雄コネクタストリップ２から取り外した後、再び図４の位置から取り外すことができる。
【００２４】
図５では、ロック解除ストラップ５にスロット１２が追加的に形成され、上記スロットは湾曲形状を有し、雄コネクタストリップ２または電子機器ハウジング１の上のピン１３と協働するように設計される。スロットは一端が開いており、雌コネクタストリップが差し込まれたり解放されたりする差込み方向に対し、略直角に延びる。
【００２５】
雌コネクタストリップ３を雄コネクタストリップ１に取り付ける場合、雌コネクタストリップ３を雄コネクタストリップ２に差し込むことができ、かつそこにロックすることができるように、ロック解除ストラップ５をこの図における下方の位置、ロック解除位置に移動させる。
【００２６】
次いで、ロック解除ストラップ５を手で、またはねじ回しを用いて、図５に示す位置まで回動させると、ピン１３がスロット１２に係合する（積み重ね方向に見て、ピンは雌コネクタストリップの両側に１つずつ設けることが好ましい）。
【００２７】
このようにして、雌コネクタストリップ３を雄コネクタストリップ２から上向きに取り外すことは、スロットの上縁がこれを妨げるため、不可能であるので、ロック機能が実現される。任意選択的に、スロット等の広幅領域にピン１３をロックすることが考えられる。
【００２８】
図２および図３の方法で、すなわち、ねじ回し９を用いてロック解除およびロックストラップ５′を下方に回動することにより、この装置を再びロック解除する場合、これにより、ピン１３がスロット１２から外れるので（図７）、ロックは解除される。ロック解除ストラップ５が再び図１のように、ストラップが移動すると、ロック解除用輪郭部１０により雌コネクタストリップ３が１つまたは複数の軸６に対して偏心的にプラグストリップ２から離れて持ち上がるように設計されたときに、最終的に解放補助具は解放される。
【００２９】
電子機器ハウジングに雌コネクタストリップが配設され、それに雄コネクタストリップがロック可能である構成では、雄コネクタストリップにロック解除ストラップの構成が設けられ、それにしたがって機能が逆転されてもよいことを指摘しておきたい。
【符号の説明】
【００３０】
１…電子機器ハウジング、２…雄コネクタストリップ、３…雌コネクタストリップ、４…ロック解除装置、５、５′…ロック解除ストラップ、６…枢軸、７ａ…ベース脚、７ｂ、ｃ…長手方向脚、８…操作用輪郭部、９…ねじ回し、１０…ロック解除用輪郭部、１１…支持面、１２…スロット、１３…ピン、Ｘ１、Ｘ２…全幅、Ｘ…積み重ね方向、Ｓ…矢印
【図１】
2014089967.tif 000003
【図２】
2014089967.tif 000004
【図３】
2014089967.tif 000005
【図４】
2014089967.tif 000006
【図５】
2014089967.tif 000007
【図６】
2014089967.tif 000008
【図７】
2014089967.tif 000009
【図８】
2014089967.tif 000010
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
少なくとも１つまたはそれ以上の雄および／または雌コネクタストリップを備え、対応する雌コネクタストリップ（３）または雄コネクタストリップ（２）を少なくとも１つの雄コネクタストリップ（２）または雌コネクタストリップ（３）の上に積み重ねることができるように、積み重ね方向に全幅（Ｘ１）を有する、積み重ね可能な電子機器ハウジングであって、
前記雄コネクタストリップ（２）から前記雌コネクタストリップ（３）をロック解除するためのロック解除装置（４）が、前記雄コネクタストリップもしくは前記雌コネクタストリップ（２、３）上または対応する差込み可能な雌コネクタストリップもしくは雄コネクタストリップ（３、２）上に配設され、
それによって前記雄コネクタストリップ（２）または前記雌コネクタストリップ（３）と前記ロック解除装置（４）との複合全幅（Ｘ２）が、前記電子機器ハウジングの積み重ね方向の全幅（Ｘ１）を越えず、前記ロック解除装置（４）が回動自在のロック解除ストラップ（９）として設計され、前記回動自在のロック解除ストラップ（９）が前記雌コネクタストリップ（２）または前記雄コネクタストリップ（３）の両側の枢軸（６）に関節接続され、前記ロック解除ストラップ（５）にロック解除用輪郭部（１０）が設けられ、前記ロック解除用輪郭部（１０）が前記枢軸（６）に対して偏心した輪郭形状を有し、前記ロック解除用輪郭部（１０）が前記電子機器ハウジング（１）または前記雄コネクタストリップの支持面（１１）上に支持され、
前記ロック解除ストラップ（５）を、前記枢軸（６）を中心に下方に回動させると、前記ロック解除用輪郭部（１０）は、前記ロック解除ストラップ（５）の解放位置への回動が増大するにつれて前記枢軸（６）からの距離が大きくなり、前記雌コネクタストリップ（３）は、前記雄コネクタストリップ（２）から持上げられることを特徴とする、電子機器ハウジング。
【請求項２】
前記ロック解除ストラップ（５）が積み重ね方向に前記電子機器ハウジング（１）と整列されることを特徴とする、請求項１に記載の電子機器ハウジング。
【請求項３】
前記ロック解除ストラップ（５）が、ベース脚（７ａ）および２つの側脚（７ｂ、７ｃ）を持つＵ字形状を有することを特徴とする、請求項２に記載の電子機器ハウジング。
【請求項４】
前記ロック解除ストラップ（５）が前記雌コネクタストリップ（３）の周りに延在し、前記ベース脚（７ａ）が操作用輪郭部（８）を有することを特徴とする、請求項３に記載の電子機器ハウジング。
【請求項５】
前記ロック解除装置（４）が構造ユニットのようにロック装置と結合されることを特徴とする、請求項１〜４のいずれか一項に記載の電子機器ハウジング。
【請求項６】
前記ロック解除ストラップ（５）が、前記雄コネクタストリップ（１）または前記電子機器ハウジング上のピン（１３）と協働してロックするように設計された、少なくとも１つのスロット（１２）を有することを特徴とする、請求項１〜５のいずれか一項に記載の電子機器ハウジング。
【手続補正２】
【補正対象書類名】明細書
【補正対象項目名】００２２
【補正方法】変更
【補正の内容】
【００２２】
ロック解除する場合には、ねじ回し９を用いて、ロック解除ストラップ５を、枢軸６を中心に下方に回動させると（図２を参照）、ロック解除用輪郭部１０は迫台のような支持面１１上に支持されているため、ロック解除用輪郭部１０は、ロック解除ストラップの解放位置への（ここでは下向きの）回動が増大するにつれて枢軸６からの距離が大きくなり（図２−図３を参照）、雄コネクタストリップ２から持上げられる（図４を参照）。